(57)【特許請求の範囲】
【請求項１】
ユーザー設備ＵＥが、基地局の複数アンテナからＵＥアンテナまでの下りリンク等価ベースバンドチャネルを推測するステップと、
前記ユーザー設備ＵＥが、前記下りリンク等価ベースバンドチャネルに基づき、報告すべき振幅応答ρｋおよび時間遅延値Δｋを確認するステップと、
前記ユーザー設備ＵＥが、前記基地局へρｋおよびΔｋを報告するステップとを備え、
前記ユーザー設備ＵＥに基づき、前記下りリンク等価ベースバンドチャネル基づき、Δｋを確認することは、
前記ユーザー設備ＵＥが、前記基地局の指定する帯域内のＮ個の周波数ｆにおける送信アンテナからＵＥアンテナまでの下りリンク等価ベースバンドチャネルを測定し、ＨｋＤＬ（ｆｉ）に基づき、以下の通りΔｋを計算し、
Ｎ個の周波数のＨｋＤＬ（ｆｉ）の位相に線形フィットを行い、フィッティングした直線のスロープ／２πをΔｋの推測値とすること；
或いは、前記ユーザー設備ＵＥが、前記基地局の指定する帯域内のＮ個の周波数ｆにおける送信アンテナからＵＥアンテナまでの下りリンク等価ベースバンドチャネルを測定し、第一本アンテナを基準点とし、Ｎ個の周波数のＨｋＤＬ（ｆｉ）／ＨｌＤＬ（ｆｉ）の位相に線形フィットを行い、フィッティングした直線のスロープ／２πをΔｋ−Δｌとした後、Δｋ−ΔｌをΔｋとすること、
ここで、ＨｋＤＬ（ｆｉ）を、第ｋ本送信アンテナの第ｉ個周波数上からＵＥアンテナまでにおける下りリンク等価ベースバンドチャネルとする
を備えることを特徴とするアンテナ補正情報の報告方法。
【請求項２】
ユーザー設備ＵＥが、基地局の複数アンテナからＵＥアンテナまでの下りリンク等価ベースバンドチャネルを推測するステップと、
前記ユーザー設備ＵＥが、前記下りリンク等価ベースバンドチャネルに基づき、報告すべき振幅応答ρｋおよび時間遅延値Δｋを確認するステップと、
前記ユーザー設備ＵＥが、前記基地局へρｋおよびΔｋを報告するステップとを備え、
前記ユーザー設備ＵＥが、前記等価ベースバンドチャネルに基づき、ρｋを確認することは、
前記ユーザー設備ＵＥが、前記基地局の指定する帯域内のＮ個の周波数ｆにおける送信アンテナからＵＥアンテナまでの下りリンク等価ベースバンドチャネルを測定し、前記ユーザー設備ＵＥが、ＨｋＤＬ（ｆｉ）に基づき、数１または数２の通りρｋを計算すること、
【数１】
0005546679.tif 000095
ここで、ＨｋＤＬ（ｆｉ）を、第ｋ本送信アンテナの第ｉ個周波数上からＵＥアンテナまでにおける下りリンク等価ベースバンドチャネルとし、
または、
【数２】
0005546679.tif 000096
ここで、ＨｋＤＬ（ｆｉ）を、第ｋ本送信アンテナの第ｉ個周波数上からＵＥアンテナまでにおける下りリンク等価ベースバンドチャネルとし；
或いは、前記ユーザー設備ＵＥが、前記基地局の指定する帯域内のＮ個の周波数ｆにおける送信アンテナからユーザー設備ＵＥまでの等価ベースバンドチャネルを測定する場合、第一本アンテナを参照アンテナとし、数３乃至数５の通り、第ｋ本アンテナが第１本アンテナに相当する振幅値
【数３】
0005546679.tif 000097
を計算すること、
ここで、
【数４】
0005546679.tif 000098
或いは
【数５】
0005546679.tif 000099
ＨｋＤＬ（ｆｉ）を、第ｋ本送信アンテナの第ｉ個周波数上からＵＥアンテナまでにおける下りリンク等価ベースバンドチャネルとし、さらにρ’ｋを獲得後、ρ’ｋをρｋとする
を備えることを特徴とするアンテナ補正情報の報告方法。
【請求項３】
基地局が、ユーザー設備ＵＥが基地局により指定された時間周波数リソースにおいて送信する上りリンク信号を受信するステップと、
前記基地局が、前記上りリンク信号に基づき、ＵＥアンテナから基地局の受信アンテナまでの等価上りリンクベースバンドチャネル推測するステップと、
前記基地局が、前記等価上りリンクベースバンドチャネルに基づき、振幅応答λｋおよび時間遅延値Πｋを確認するステップと、
前記基地局が、前記ユーザー設備ＵＥが報告する請求項１または請求項２に記載のρｋおよびΔｋを受信するステップと、
前記基地局が、λｋおよびΠｋ、ρｋおよびΔｋに基づき、アンテナ補正因子を計算するステップとを備え、
前記基地局が、前記等価上りリンクベースバンドチャネルに基づき、Πｋを確認することは、
前記基地局が、ＨｋＵＬ（ｆｉ）に基づき、以下の通りΠｋを計算することを含み、
Ｎ個の周波数のＨｋＵＬ（ｆｉ）の位相に線形フィットを行い、フィッティングした直線のスロープをΠｋの推測値とし、
或いは、第一本アンテナを基準点とし、Ｎ個の周波数のＨｋＵＬ（ｆｉ）／ＨｌＵＬ（ｆｉ）の位相に線形フィットを行い、フィッティングした直線のスロープ／２πをΠｋ−Πｌとした後、Πｋ−ΠｌをΠｋとし、
ここで、ＨｋＵＬ（ｆｉ）を、ＵＥアンテナから基地局までの第ｋ本受信アンテナの第ｉ個周波数における上りリンク等価ベースバンド信号とする
ことを備えることを特徴とするアンテナ補正因子の確認方法。
【請求項４】
基地局が、ユーザー設備ＵＥが基地局により指定された時間周波数リソースにおいて送信する上りリンク信号を受信するステップと、
前記基地局が、前記上りリンク信号に基づき、ＵＥアンテナから基地局の受信アンテナまでの等価上りリンクベースバンドチャネル推測するステップと、
前記基地局が、前記等価上りリンクベースバンドチャネルに基づき、振幅応答λｋおよび時間遅延値Πｋを確認するステップと、
前記基地局が、前記ユーザー設備ＵＥが報告する請求項１または請求項２に記載のρｋおよびΔｋを受信するステップと、
前記基地局が、λｋおよびΠｋ、ρｋおよびΔｋに基づき、アンテナ補正因子を計算するステップとを備え、
前記基地局が、前記等価ベースバンドチャネルに基づき、振幅応答λｋを確認することは、
前記基地局が、ＨｋＵＬ（ｆｉ）に基づき、数１または数２の通りλｋを計算こと、
【数１】
0005546679.tif 000100
ここで、ＨｋＵＬ（ｆｉ）を、ＵＥアンテナから基地局までの第ｋ本受信アンテナの第ｉ個周波数上でにおける上りリンク等価ベースバンドチャネルとし、
または、
【数２】
0005546679.tif 000101
ここで、ＨｋＵＬ（ｆｉ）を、ＵＥアンテナから基地局までの第ｋ本受信アンテナの第ｉ個周波数における等価上りリンクベースバンドチャネルとし；
或いは、第一本アンテナを参照アンテナとし、数３乃至数５の通り第ｋ本アンテナが第１本アンテナに相当する振幅値
【数３】
0005546679.tif 000102
を計算すること、
ここで、以下の通りλｋを計算：
【数４】
0005546679.tif 000103
或いは
【数５】
0005546679.tif 000104
ここで、ＨｋＵＬ（ｆｉ）を、ＵＥアンテナから基地局までの第ｋ本受信アンテナの第ｉ個周波数における上りリンク等価ベースバンドチャネルとし、さらにλ’ｋを獲得後、λ’ｋをλｋとする
を備えることを特徴とするアンテナ補正因子の確認方法。
【請求項５】
前記基地局が、λｋおよびΠｋ、ρｋおよびΔｋに基づき、アンテナ補正因子を計算することは、
ｅ-ｊ２πΠｋｆｉが、基地局受信回路の位相応答である場合、基地局は数１乃至数９
【数１】
0005546679.tif 000105
【数２】
0005546679.tif 000106
【数３】
0005546679.tif 000107
【数４】
0005546679.tif 000108
【数５】
0005546679.tif 000109
【数６】
0005546679.tif 000110
【数７】
0005546679.tif 000111
【数８】
0005546679.tif 000112
【数９】
0005546679.tif 000113
のいずれか１つの通り補正因子を計算することを含むことを特徴とする請求項３または請求項４に記載のアンテナ補正因子の確認方法。
【請求項６】
前記基地局が、以下の通り補正因子を用いて、上りリンクパイロット信号に基づき、推測したチャネル補正した後、数１より
【数１】
0005546679.tif 000114
下りリンクチャネルの推測値を獲得するステップと；及び／或いは、
数２より
【数２】
0005546679.tif 000115
下りリンク送信待機信号を予処理するステップと、
ここで、Ｙｋ（ｆｉ）は、基地局の第ｋ本アンテナにおける送信待機データ信号及び／或いはパイロット信号であり、
0005546679.tif 000116
は、予処理後の信号であること
をさらに備えることを特徴とする請求項５に記載のアンテナ補正因子の確認方法。
【請求項７】
基地局の複数アンテナからＵＥアンテナまでの下りリンク等価ベースバンドチャネルを推測する推測モジュールと、
下りリンク等価ベースバンドチャネルに基づき、報告すべき振幅応答ρｋを確認する振幅応答モジュールと、
下りリンク等価ベースバンドチャネルに基づき、報告すべき時間遅延値Δｋを確認する時間遅延モジュールと、
基地局へρｋおよびΔｋを報告する報告モジュールとを備え、
前記時間遅延モジュールが、第一確認ユニット及び／或いは第二確認ユニットを備え、
ここで、前記第一確認ユニットは、前記ユーザー設備ＵＥが、前記基地局の指定する帯域内のＮ個の周波数ｆにおける送信アンテナからＵＥアンテナまでの下りリンク等価ベースバンドチャネルを測定し、ＨｋＤＬ（ｆｉ）に基づき、以下の通りΔｋを計算し、
Ｎ個の周波数のＨｋＤＬ（ｆｉ）の位相に線形フィットを行い、フィッティングした直線のスロープ／２πをΔｋの推測値とし、
前記第二確認ユニットは、前記ユーザー設備ＵＥが、前記基地局の指定する帯域内のＮ個の周波数ｆにおける送信アンテナからＵＥアンテナまでの下りリンク等価ベースバンドチャネルを測定し、第一本アンテナを基準点とし、Ｎ個の周波数のＨｋＤＬ（ｆｉ）／ＨｌＤＬ（ｆｉ）の位相に線形フィットを行い、フィッティングした直線のスロープ／２πをΔｋ−Δｌとした後、Δｋ−ΔｌをΔｋとし、
ここで、ＨｋＤＬ（ｆｉ）を、第ｋ本送信アンテナの第ｉ個周波数上からＵＥアンテナまでにおける下りリンク等価ベースバンドチャネルとする
ことを特徴とするユーザー設備。
【請求項８】
基地局の複数アンテナからＵＥアンテナまでの下りリンク等価ベースバンドチャネルを推測する推測モジュールと、
下りリンク等価ベースバンドチャネルに基づき、報告すべき振幅応答ρｋを確認する振幅応答モジュールと、
下りリンク等価ベースバンドチャネルに基づき、報告すべき時間遅延値Δｋを確認する時間遅延モジュールと、
基地局へρｋおよびΔｋを報告する報告モジュールとを備え、
前記振幅応答モジュールが、第三確認ユニット及び／或いは第四確認ユニットを備え、
ここで、前記第三確認ユニットは、前記ユーザー設備ＵＥが、前記基地局の指定する帯域内のＮ個の周波数ｆにおける送信アンテナからＵＥアンテナまでの下りリンク等価ベースバンドチャネルを測定し、ＨｋＤＬ（ｆｉ）に基づき、数１或いは数２の通りρｋを計算し、
【数１】
0005546679.tif 000117
或いは、
【数２】
0005546679.tif 000118
ここで、ＨｋＤＬ（ｆｉ）を、第ｋ本送信アンテナの第ｉ個周波数上からＵＥアンテナまでにおける下りリンク等価ベースバンドチャネルとし、
第四確認ユニットは、前記ユーザー設備ＵＥが、前記基地局の指定する帯域内のＮ個の周波数ｆにおける送信アンテナからＵＥアンテナまでの下りリンク等価ベースバンドチャネルを測定し、第一本アンテナを参照アンテナとし数３乃至数５の通り第ｋ本アンテナが第１本アンテナに相当する振幅値
【数３】
0005546679.tif 000119
を計算し、
ここで、
【数４】
0005546679.tif 000120
或いは
【数５】
0005546679.tif 000121
ＨｋＤＬ（ｆｉ）を、第ｋ本送信アンテナの第ｉ個周波数上からＵＥアンテナまでにおける下りリンク等価ベースバンドチャネルとし、さらにρ’ｋを獲得後、ρ’ｋをρｋとする
ことを特徴とするユーザー設備。
【請求項９】
ユーザー設備ＵＥが、基地局の指定する時間周波数リソースにおいて送信する上りリンク信号を受信する上りリンク信号受信モジュールと、
前記上りリンク信号に基づき、ＵＥアンテナから基地局の受信アンテナまでの等価上りリンクベースバンドチャネルを推測する等価上りリンクベースバンドチャネルモジュールと、
前記等価上りリンクベースバンドチャネルに基づき、振幅応答λｋを確認する振幅応答モジュールと、
前記等価上りリンクベースバンドチャネルに基づき、時間遅延値Πｋを確認する時間遅延モジュールと、
前記ユーザー設備ＵＥが報告する請求項１から請求項３のいずれか１つに記載のρｋおよびΔｋを受信する受信モジュールと、
λｋおよびΠｋ、ρｋおよびΔｋに基づき、アンテナ補正因子を計算する補正因子モジュールとを備え、
前記時間遅延モジュールが、第一確認ユニット及び／或いは第二確認ユニットを備え、ここで、
前記第一確認ユニットが、ＨｋＵＬ（ｆｉ）に基づき、以下の通りΠｋを計算し、
Ｎ個の周波数のＨｋＵＬ（ｆｉ）の位相に線形フィットを行い、フィッティングした直線のスロープをΠｋの推測値とし、
前記第二確認ユニットが、第一本アンテナを基準点とし、Ｎ個の周波数のＨｋＵＬ（ｆｉ）／ＨｌＵＬ（ｆｉ）の位相に線形フィットを行い、フィッティングした直線のスロープ／２πをΠｋ−Πｌとした後、Πｋ−ΠｌをΠｋとし、
ここで、ＨｋＵＬ（ｆｉ）を、ＵＥアンテナから基地局までの第ｋ本受信アンテナの第ｉ個周波数における上りリンク等価ベースバンド信号とする
ことを特徴とする基地局。
【請求項１０】
ユーザー設備ＵＥが、基地局の指定する時間周波数リソースにおいて送信する上りリンク信号を受信する上りリンク信号受信モジュールと、
前記上りリンク信号に基づき、ＵＥアンテナから基地局の受信アンテナまでの等価上りリンクベースバンドチャネルを推測する等価上りリンクベースバンドチャネルモジュールと、
前記等価上りリンクベースバンドチャネルに基づき、振幅応答λｋを確認する振幅応答モジュールと、
前記等価上りリンクベースバンドチャネルに基づき、時間遅延値Πｋを確認する時間遅延モジュールと、
前記ユーザー設備ＵＥが報告する請求項１から請求項３のいずれか１つに記載のρｋおよびΔｋを受信する受信モジュールと、
λｋおよびΠｋ、ρｋおよびΔｋに基づき、アンテナ補正因子を計算する補正因子モジュールとを備え、
前記振幅応答モジュールが、第三確認ユニット及び／或いは第四確認ユニットを備え、ここで、
前記第三確認ユニットが、ＨｋＵＬ（ｆｉ）に基づき、数１或いは数２の通りλｋを計算し、
【数１】
0005546679.tif 000122
或いは、
【数２】
0005546679.tif 000123
ここで、ＨｋＵＬ（ｆｉ）を、ＵＥアンテナから基地局までの第ｋ本受信アンテナの第ｉ個周波数における等価ベースバンドチャネルとし、
前記第四確認ユニットが、第一本アンテナを参照アンテナとし、数３の通り第ｋ本アンテナが第１本アンテナに相当する振幅値
【数３】
0005546679.tif 000124
を計算し、
ここで、数４或いは数５の通りλｋを計算し、
【数４】
0005546679.tif 000125
或いは
【数５】
0005546679.tif 000126
ここで、ＨｋＵＬ（ｆｉ）を、ＵＥアンテナから基地局までの第ｋ本受信アンテナの第ｉ個周波数における等価ベースバンドチャネルとし、さらにλ’ｋを獲得後、λ’ｋをλｋとすることとを特徴とする基地局。
【請求項１１】
前記補正因子モジュールが、λｋおよびΠｋ、ρｋおよびΔｋに基づく、アンテナ補正因子を計算し、ｅ-ｊ２πΠｋｆｉが基地局受信回路の位相応答である場合、数１乃至数９
【数１】
0005546679.tif 000127
【数２】
0005546679.tif 000128
【数３】
0005546679.tif 000129
【数４】
0005546679.tif 000130
【数５】
0005546679.tif 000131
【数６】
0005546679.tif 000132
【数７】
0005546679.tif 000133
【数８】
0005546679.tif 000134
【数９】
0005546679.tif 000135
のいずれか１つの通り補正因子を計算することを特徴とする請求項９または請求項１０に記載の基地局。
【請求項１２】
補正モジュールを更に備え、
前記補正モジュールが、以下の通り補正因子を用いて上りリンクパイロット信号に基づき、推測したチャネルを補正後、数１より
【数１】
0005546679.tif 000136
下りリンクチャネルの推測値を獲得し、及び／或いは、
数２より
【数２】
0005546679.tif 000137
下りリンク送信待機信号を予処理し、ここで、Ｙｋ（ｆｉ）は、基地局の第ｋ本アンテナにおける送信待機データ信号及び／或いはパイロット信号であり、
0005546679.tif 000138
は、予処理後の信号であることを特徴とする請求項１１に記載の基地局。
【発明の詳細な説明】
【技術分野】
【０００１】
本発明は無線通信技術に関し、特にアンテナ補正情報の報告、アンテナ補正因子の確認方法および設備に関する。
【背景技術】
【０００２】
ＭＩＭＯ（Ｍｕｌｔｉｐｌｅ−Ｉｎｐｕｔ  Ｍｕｌｔｉｐｌｅ−Ｏｕｔｐｕｔ，多入力多出力）システムは、送信エンドも受信エンドも複数アンテナを備えるシステムを指す。
ＭＩＭＯシステムは従来の時間周波数処理の基礎の上に空域の処理を増やし、配列処理利得とダイバーシティ利得をさらに獲得できる。
ＭＩＭＯシステムにおいて、もし送信機がある方式によりチャネル情報を得られれば、チャネルの特性に基づき送信信号を最適化でき、受信品質を向上し受信機の複雑な要求を低減できる。
線形予測符号／ビーム・フォーミング技術はまさにこの内の最適化方法の一つであ、チャネル減衰への抵抗、エラー率の低下、システム性能の向上に有効な手段である。
【０００３】
複数アンテナ線形予測符号／ビーム・フォーミング伝送技術において、基地局からＵＥ（Ｕｓｅｒ  Ｅｑｕｉｐｍｅｎｔ，ユーザー設備）までのチャネル情報はシステム性能に影響する重要な要素の一つである。
ＦＤＤ（Ｆｒｅｑｕｅｎｃｙ  Ｄｉｖｉｓｉｏｎ  Ｄｕｐｌｅｘ，周波数分割複信）システムにおいて、ＵＥは上りリンクチャネルを介して推定して得たチャネル情報を基地局へフィードバックするが、このような方式は上りリンクチャネルのリソースを大量に占め、かつ量子化の誤差等をもたらす。
ＴＤＤ（Ｔｉｍｅ  Ｄｉｖｉｓｉｏｎ  Ｄｕｐｌｅｘ，時分割二重）システムにおいて、上りリンクと下りリンクの信号は同じ帯域にて送信するため、上り／下りリンクチャネルの互恵性（ｒｅｃｉｐｒｏｃｉｔｙ）が成立する。
いわゆる互恵性とは、上りリンクチャネルと下りリンクチャネルが同じであることを指す。
上り／下りリンクチャネルの互恵性を用いてＵＥが送信する上りリンク信号により上りリンクチャネルを予測できるため、下りリンクチャネル情報を獲得し、大量のフィードバックのオーバーヘッドを低減する。
【０００４】
チャネルの互恵性は空間伝送の物理チャネルに対して成立する。
信号はベースバンド処理完成後に送信回路を経由してアンテナに伝送され、アンテナから受信する信号も受信回路を経由してベースバンドに伝送する。
送信回路とは、信号が、ベースバンド処理ユニットからアンテナの入力ポートまで経由する回路を指す。
受信回路とは、信号が、アンテナの出力ポートからベースバンド処理ユニットまで経由する回路を示す。
通常、送信回路と受信回路は二つの異なる回路であるため、送信回路と受信回路がもたらす時間遅延および振幅利得は全く異なる。
つまり、受送信回路はマッチしない。
送信回路と受信回路のミスマッチは上り／下りリンクチャネルの互恵性は厳格的に成立さしない。
具体的に、下記の通り示す：
【数１】
0005546679.tif 000002
（１）。
【０００５】
ＨｋＤＬ（ｆ）は、基地局の第ｋ本アンテナからＵＥアンテナ（ここでは、ＵＥ１本のみ受信アンテナだと仮定する）までの下りリンクベースバンド等価チャネルまでであり、空間伝送チャネルＨｋＳ（ｆ）と、基地局の第ｋ本アンテナ送信回路の振幅応答αｋ（ｆ）および位相応答ｅ-ｊ２πΔｋｆであり、ＵＥアンテナ受信回路の振幅応答η（ｆ）および位相応答ｅ-ｊ２πΩｆと、を含む。
ここで、ΔｋとΩはそれぞれ、基地局第ｋ本送信回路とＵＥアンテナ受信回路がもたらす時間遅延であり、ｆは周波数である。
【０００６】
ＵＥのアンテナから基地局の第ｋ本アンテナまでの上りリンクベースバンド等価チャネルは、下記の通り示す：
【数２】
0005546679.tif 000003
（２）。
【０００７】
ここで、基地局の第ｋ本アンテナ受信回路の振幅応答βｋ（ｆ）および位相応答ｅ-ｊ２πΠｋｆと、ＵＥアンテナ送信回路の振幅応答ω（ｆ）および位相応答ｅ-ｊ２πΨｆと、を含む。
ここで、ΠｋとΨはそれぞれ、ＵＥアンテナ送信回路と基地局の第ｋ本アンテナ受信回路がもたらす時間遅延である。
【０００８】
数式（１）のと数式（２）の式を比べると、空間伝送チャネルが同じであっても等価の上りリンクベースバンドチャネルと下りリンクベースバンドチャネルは異なる可能性があると分かる。
【０００９】
ＵＥアンテナと基地局間のＭ本アンテナまでの上りリンクベースバンドチャネルをベクトルの形式で示す：
【数３】
0005546679.tif 000004
。
【００１０】
基地局のＭ本アンテナからＵＥアンテナまでの下りリンクベースバンドチャネルをベクトルの形式で示す：
【数４】
0005546679.tif 000005
。
【００１１】
下りリンク伝送方案を、ＭＲＴ  （Ｍａｘｉｍｕｍ  Ｒａｔｉｏ  Ｔｒａｎｓｍｉｓｓｉｏｎ，最大比送信）と仮定すると、ＨＵＬ（ｆ）に基づき、計算した下りリンク予測符号ベクトル（ビーム・フォーミング加重値）を下記の通り示す：
【数５】
0005546679.tif 000006
；
ここで、（Ａ）ＨはベクトルＡの複素共役転置であり、||Ａ||はベクトルＡのノルムである。
【００１２】
ＵＥが受信する信号を下記の通り示す：
【数６】
0005546679.tif 000007
；
ここで、ｓ（ｆ）とｎ（ｆ）はそれぞれ、ＵＥへ送信するデータ符号と付加雑音である。
もし、上り／下りリンクチャネルの互恵性が厳格的に成立する、即ち
【数７】
0005546679.tif 000008
かつ
【数８】
0005546679.tif 000009
であると、ｗ（ｆ）はＵＥが受信する各アンテナの信号を同相で重畳させる。
この時ＵＥが受信する信号の信号雑音比は最高となる。
もし、上り／下りリンク回路がマッチしない、特に時間遅延が異なると、各アンテナの信号を同相で重畳させることを保証できず、受信信号の信号雑音比を低下させ、性能悪化をもたらす。
【００１３】
上り／下りリンク回路のミスマッチがもたらす影響の解消方法はアンテナ補正である：
ＵＥが報告する情報及び／或いは基地局が測定した情報に基づき補正因子を計算し、上りリンク信号より推測したチャネルを補償調整か、或いは、送信待機データを補償調整する。
【００１４】
以下に従来技術における２種類の常用アンテナ補正方案を説明する。
【第１補正方法】
【００１５】
１、ＵＥは、各送信アンテナの無線周波数回路ケーブルおよび送信フィルタ（以下：送信回路）がもたらす時間遅延値を推測する。
ＵＥは、まず一定の周波数ｆ上における送信アンテナからＵＥまでの送信回路応答、空間伝送チャネルおよび受信回路応答を含む等価下りリンクベースバンドチャネルを推測する。
第ｋ本送信アンテナからＵＥの等価下りリンクベースバンドチャネルまでの位相をΘｋ（ｆ）とし、当該位相は下記の通り示すことができる：
【数９】
0005546679.tif 000010
；
ここで、第一項に伝送チャネルとＵＥ受信回路応答の等価下りリンクベースバンドチャネルの位相を示し、Δｋは、基地局エンドの第ｋ本送信アンテナの送信回路がもたらす時間遅延である。
一般性を失うことなく、ＵＥは、第ｋ本と第１本アンテナの時間差Δｋ−Δｌを推測でき、具体的な推測方法を、Θｋ（ｆ）−Θｌ（ｆ）とし、線形フィットを行い、獲得した直線のスロープをΔｋ−Δｌとする：
【数１０】
0005546679.tif 000011
２、ＵＥは、前記にて獲得したΔｋ−Δｌを量子化後に基地局へフィードバックする。
３、ＵＥは、ＳＲＳ（Ｓｏｕｎｄｉｎｇ  Ｒｅｆｅｒｅｎｃｅ  ｓｉｇｎａｌｓ，チャネル探測基準信号）信号或いは他の上りリンク信号を送信する。
基地局は、ＳＲＳ信号或いは他の上りリンク信号に基づき、ＵＥアンテナから各受信アンテナまでのチャネルを推測し、さらに前記１の方法に基づき、基地局の受信アンテナ回路がもたらす時間遅延Πｋ−Πｌを推測する。
４、基地局は、ＵＥが報告するΔｋ−Δｌと推測したΠｋ−Πｌに基づき、基地局が推測した上りリンクチャネルを補償する。
基地局が推測した上りリンクチャネルをＨｋＵＬ（ｆ）と仮定すると、補償後の下りリンクチャネル推測値を下記の通り示す：
【数１１】
0005546679.tif 000012
。
【第２補正方法】
【００１６】
１、ＵＥは、まず一定の周波数ｆ上における送信アンテナからＵＥまでの送信回路応答、空間伝送チャネルおよび受信回路応答を含む等価下りリンクベースバンドチャネルを推測する。
第ｋ本送信アンテナからＵＥの等価下りリンクベースバンドチャネルを、ＨｋＤＬ（ｆ）とする。
２、ＵＥは、前記にて獲得した合成チャネルＨｋＤＬ（ｆ）を量子化後に基地局へフィードバックする。
３、ＵＥは、ＳＲＳ信号或いは他の上りリンク信号を送信し、基地局は、ＳＲＳ信号或いは他の上りリンク信号に基づき、ＵＥアンテナから各受信アンテナまでのチャネルＨｋＵＬ（ｆ）を推測する。
４、基地局は、ＵＥが報告するＨｋＤＬ（ｆ）と推測したＨｋＵＬ（ｆ）に基づき、補正係数を計算：
【数１２】
0005546679.tif 000013
一般性を失うことなく、アンテナ１の補正係数を用いて全ての補正係数を正規化処理できる：
【数１３】
0005546679.tif 000014
５、基地局は、獲得した補正係数に基づき、推測した上りリンクチャネルを補償し下りリンクチャネルを獲得する：
【数１４】
0005546679.tif 000015
【発明の概要】
【発明が解決しようとする課題】
【００１７】
従来技術の欠陥は以下のようである。
第１補正方法において、位相の誤差を補正することしかできず、振幅の誤差を補正できない。
そして振幅の誤差は性能にも深刻な影響を与える。
第２補正方法は、振幅と位相の誤差を同時に補正できが、当該方法は量子化後の等価下りリンクベースバンドチャネルを基地局へ直接フィードバックし、等価下りリンクベースバンドチャネルの推測の誤差および量子化の誤差は補正の精度を低下させる。
この他に、もしＵＥのチャネルが時間に伴い変化が起こると、ＵＥが測定する場合の空間伝送チャネルと基地局が測定する場合の空間伝送チャネルに変化を起こさせ、補正係数の計算が不正確になる。
【課題を解決するための手段】
【００１８】
本発明により解决できる技術問題は、アンテナ補正情報の報告方法およびユーザー設備の提供にあり、アンテナ補正因子の確認方法および基地局は、上り／下りリンクチャネルの互恵性が成立しない場合のアンテナ補正問題を解決する。
【００１９】
本発明の実施形態に係るアンテナ補正情報の報告方法は、ＵＥが、基地局の複数アンテナからＵＥまでの等価下りリンクベースバンドチャネルを推測するステップと、ＵＥが、等価ベースバンドチャネルに基づき、報告すべき振幅応答ρｋおよび時間遅延値Δｋを確認するステップと、ＵＥが基地局へρｋおよびΔｋを報告するステップとを備える。
【００２０】
本発明の実施形態に係るアンテナ補正因子の確認方法は、基地局が、ＵＥが基地局の指定する時間周波数リソースにおいて送信する上りリンク信号を受信するステップと、基地局が、前記上りリンク信号に基づき、ＵＥアンテナから基地局の受信アンテナまでの等価下りリンクベースバンドチャネルを推測するするステップと、基地局が、前記等価下りリンクベースバンドチャネルに基づき、振幅応答λｋおよび時間遅延値Πｋを確認するステップと、基地局が、ＵＥの報告する本発明に係る実施形態により確認したρｋおよびΔｋを受信するステップと、基地局が、λｋおよびΠｋ、ρｋおよびΔｋに基づき、アンテナ補正因子を計算するステップとを備える。
【００２１】
本発明の実施形態に係るユーザー設備は、基地局の複数アンテナからＵＥまでの等価下りリンクベースバンドチャネルを推測する推測モジュールと、等価ベースバンドチャネル基づき、報告すべき振幅応答ρｋを確認する振幅応答モジュールと、等価ベースバンドチャネルに基づき、報告すべき時間遅延値Δｋを確認する時間遅延モジュールと、基地局へρｋおよびΔｋを報告する報告モジュールとを備える。
【００２２】
本発明の実施形態に係る基地局は、ＵＥが、基地局の指定する時間周波数リソースにおいて送信する上りリンク信号を受信する上りリンク信号受信モジュールと、前記上りリンク信号に基づき、ＵＥアンテナから基地局の受信アンテナまでの等価下りリンクベースバンドチャネルを推測する合成チャネルモジュールと、前記等価下りリンクベースバンドチャネルに基づき、振幅応答λｋを確認する振幅応答モジュールと、前記等価下りリンクベースバンドチャネルに基づき、時間遅延値Πｋを確認する時間遅延モジュールと、ＵＥが報告するρｋおよびΔｋを受信する受信モジュールと、λｋおよびΠｋ、ρｋおよびΔｋに基づき、アンテナ補正因子を計算する補正因子モジュールとを備える。
【発明の効果】
【００２３】
本発明の有益な効果は以下の通りである。
【００２４】
ＵＥ側のアンテナ補正情報の報告過程において、ＵＥが、基地局の複数アンテナからＵＥまでの等価下りリンクベースバンドチャネルを推測後、ＵＥは、等価ベースバンドチャネルに基づき、振幅応答ρｋおよび時間遅延値Δｋを確認し、ＵＥは、基地局へρｋおよびΔｋを報告する。
【００２５】
そして、基地局側のアンテナ補正因子の確認過程において、基地局は、受信する上りリンク信号に基づき、振幅応答λｋおよび時間遅延値Πｋを確認し、基地局は、ＵＥが報告するρｋおよびΔｋ、λｋおよびΠｋに基づき、アンテナ補正因子を計算する。
【００２６】
ＵＥが、チャネル情報から振幅情報と位相情報を分離し、さらにそれぞれ基地局へフィードバックするため、基地局がこれらの情報を用いて補正する場合に、振幅と位相の補正を同時に実現できる。
よって、ＵＥの予処理過程を増やした後、本発明により提供している技術方案がチャネル推測の誤差およびチャネルドップラースプレッドの感度を低下させることは明らかである。
【図面の簡単な説明】
【００２７】
【図１】本発明の実施形態に係るアンテナ補正情報の報告方法の実行フロー図。
【図２】本発明の実施形態に係るアンテナ補正因子の確認方法の実行フロー図。
【図３】本発明の実施形態に係るユーザー設備構造を示す図。
【図４】本発明の実施形態に係る基地局構造を示す図。
【発明を実施するための形態】
【００２８】
複数アンテナ技術は、すでに次世代無線通信システムの重要な技術の一つとなっている。
複数アンテナ技術における線形予測符号／ビーム・フォーミング技術は、チャネル減衰への抵抗、エラー率の低下、システム性能の向上に有効な手段である。
ＴＤＤシステムの上り／下りリンクチャネルの互恵性を用いて、基地局が推測したＵＥから基地局までの上りリンクチャネル情報に基づき、基地局からＵＥまでの下りリンクチャネル情報を獲得できるため、予測符号マトリックス／ビーム・フォーミング重み値を算出できる。
しかしながら、実際のシステムにおいて上り／下りリンク互恵性は厳格的に成立せず、本発明に係る実施形態が提供する技術方案は、上り／下りリンクチャネルの互恵性が成立しない場合のアンテナ補正問題を解決する。
方案において、ＵＥが推測した下りリンクチャネル情報から振幅情報と位相情報（時間遅延）を分離し、さらにこれをフィードバックし、そして基地局はこれらの情報を用いてアンテナ補正を行う。
以下に発明の詳細の説明と図面を結合して本発明の好ましい実施形態を説明する。
【００２９】
説明する際、ＵＥと基地局側の実施形態からそれぞれ詳細に説明する。
だからといって両者は必ずしも組み合わせて実行しなくてもよい。
実際には、ＵＥと基地局が別々に実行し始めた場合は、ＵＥ側、基地局側の問題を各々解決する。
両者が結合して使用する場合のみ、より高い技術效果を獲得する。
以下にＵＥ側のアンテナ補正情報の報告（ｒｅｐｏｒｔ）、および基地局側のアンテナ補正因子を確認する実施方式をそれぞれ説明する。
【００３０】
図１はアンテナ補正情報の報告方法の実行フロー図である。
図１に示すように、報告過程においてステップ１０１、ステップ１０２と、ステップ１０３を含むことができる。
ステップ１０１において、ＵＥは、基地局の複数アンテナからＵＥアンテナまでの等価下りリンクベースバンドチャネルを推測する。
ステップ１０２において、ＵＥは、等価下りリンクベースバンドチャネルに基づき、報告すべき振幅応答ρｋおよび時間遅延値Δｋを確認する。
本ステップにおいて、ＵＥは、等価下りリンクベースバンドチャネルに基づき、ρｋおよびΔｋを計算し、さらに計算した結果を量子化実行後にのみ報告できる。
よって、計算した結果と最後に報告する結果は必ずしも完全に一致せず、実施の際、通常の量子化に基づき処理すればよい。
【００３１】
ＬＴＥおよびＬＴＥ−Ａシステムにおいて、ＵＥが推測する基地局の複数アンテナからＵＥアンテナまでの等価下りリンクベースバンドチャネルの全ての基準信号は、セル固有基準信号（ＣＲＳ）、チャネル状態情報基準信号（ＣＳＩ−ＲＳ）或いは他の定義された基準信号でもよい。
【００３２】
ステップ１０３において、ＵＥは基地局へρｋおよびΔｋを報告する。
【００３３】
実施の際、ステップ１０１を実行中、ＵＥは基地局の通知を獲得後、ＵＥが基地局の複数アンテナからＵＥアンテナまでの等価下りリンクベースバンドチャネルを推測してもよい。
【００３４】
具体的に、基地局は特定のＵＥを選択し、補正するように通知し、補正に必要な測定とフィードバックを行える。
選択したＵＥは、チャネル品質がよく、かつ移動速度が低いＵＥ（例えば信号品質は信号閾値より高い、かつ移動速度は移動閾値より低い）でもよい。
【００３５】
実施形態において、ステップ１０１を実行中、ＵＥが、基地局の複数アンテナからＵＥアンテナまでの下りリンク等価ベースバンドチャネルを推測することは、下記の内容を含む：
ＵＥは、基地局が指定する帯域内のＮ個の周波数ｆにおける送信アンテナからＵＥアンテナまでの送信回路応答、空間伝送チャネルおよび受信回路応答を備える等価下りリンクベースバンドチャネルを測定することを含むことができる。
【数１５】
0005546679.tif 000016
を確認し、ここで、ＨｋＤＬ（ｆｉ）を、第ｋ本送信アンテナの第ｉ個周波数上からＵＥアンテナまでにおける等価下りリンクベースバンドチャネルとし、Ｈｋ（ｆｉ）は、ＵＥアンテナの受信回路応答と空間伝送チャネルの合成チャネルを備え、αｋ（ｆｉ）は、基地局送信アンテナの送信回路の振幅応答、ｅ-ｊ２πΔｋｆｉは基地局送信アンテナの送信回路の位相応答である。
【００３６】
さらに、ＬＴＥ（Ｌｏｎｇ  Ｔｅｒｍ  Ｅｖｏｌｕｔｉｏｎ，ロング・ターム・ェボリューション）システムにおいて、指定する帯域は連続の若干個ＰＲＢ（Ｐｈｙｓｉｃａｌ  Ｒｅｓｏｕｒｃｅ  Ｂｌｏｃｋ，物理リソースブロック）でもよく、周波数ｆはこの内の副搬送波である。
【００３７】
実施形態において、ステップ１０２を実行する場合、ＵＥは、等価ベースバンドチャネルに基づき、Δｋを確認し、ＵＥは、基地局が指定する帯域内のＮ個の周波数ｆ上における送信アンテナからＵＥアンテナまでの等価下りリンクベースバンドチャネルを測定し、ＵＥはＨｋＤＬ（ｆｉ）に基づき、以下の通りΔｋを計算することを含むことができる：
Ｎ個の周波数のＨｋＤＬ（ｆｉ）の位相に線形フィットを行い、フィッテングした直線のスロープ／２πをΔｋの推測値：
【数１６】
0005546679.tif 000017
，  ｉ＝１，２，…Ｎとし、
ここで、φｈ，ｋ（ｆｉ）はＨｋ（ｆｉ）の位相、Θｋ（ｆｉ）はＨｋＤＬ（ｆｉ）の位相であり、ＨｋＤＬ（ｆｉ）を、第ｋ本送信アンテナの第ｉ個周波数上からＵＥアンテナまでにおける等価下りリンクベースバンドチャネルとし、Ｈｋ（ｆｉ）は、ＵＥアンテナの受信回路応答と空間伝送チャネルの合成チャネルを備える。
或いは、ＵＥは、基地局が指定する帯域内のＮ個の周波数ｆにおける送信アンテナからＵＥアンテナまでの等価下りリンクベースバンドチャネルを測定し、第一本アンテナを基準点とし、Ｎ個の周波数のＨｋＤＬ（ｆｉ）／ＨｌＤＬ（ｆｉ）の位相に線形フィットを行い、フィッテングした直線のスロープ／２πをΔｋ−Δｌとし、さらにΔｋ−ΔｌをΔｋとする：
【数１７】
0005546679.tif 000018
，ｉ＝１，２，…Ｎ、
ここで、φｈ，ｋ（ｆｉ）はＨｋ（ｆｉ）の位相、Θｋ（ｆｉ）はＨｋＤＬ（ｆｉ）の位相であり、ＨｋＤＬ（ｆｉ）を、第ｋ本送信アンテナの第ｉ個周波数上からＵＥアンテナまでにおける等価下りリンクベースバンドチャネルとし、Ｈｋ（ｆｉ）は、ＵＥアンテナの受信回路応答と空間伝送チャネルの合成チャネルを備える。
【００３８】
具体的に、ＵＥは測定したＨｋＤＬ（ｆｉ）に基づき、Δｋを計算する。
計算方法としては、Ｎ個の周波数のＨｋＤＬ（ｆｉ）の位相に線形フィットを行う方法でもよく、フィッテングした直線のスロープ／２πをΔｋの推測値とする。
或いは第一本アンテナを基準点とし、Δｋ−Δｌを獲得する方法とΔｋの推測方式は類似している。
【００３９】
実施形態におけるステップ１０２の実行において、ＵＥが等価ベースバンドチャネルに基づき、ρｋを確認する場合、ＵＥは基地局が指定する帯域内のＮ個の周波数ｆにおける送信アンテナからＵＥアンテナまでの等価下りリンクベースバンドチャネルを測定し、ＵＥはＨｋＤＬ（ｆｉ）に基づき、以下の通りρｋを計算することを含むことができる。
【数１８】
0005546679.tif 000019
、
ここで、ＨｋＤＬ（ｆｉ）を、第ｋ本送信アンテナの第ｉ個周波数上からＵＥアンテナまでにおける等価下りリンクベースバンドチャネルとする。
或いは、
【数１９】
0005546679.tif 000020
、
ここで、ＨｋＤＬ（ｆｉ）を、第ｋ本送信アンテナの第ｉ個周波数上からＵＥアンテナまでにおける等価下りリンクベースバンドチャネルとする。
或いは、ＵＥが、基地局が指定する帯域内のＮ個の周波数ｆ上における送信アンテナからＵＥアンテナまでの下りリンク等価ベースバンドチャネルを測定する場合に、第一本アンテナを参照アンテナとし、以下の通り第ｋ本アンテナが第１本アンテナに相当する振幅値
【数２０】
0005546679.tif 000021
を計算し、
ここで、
【数２１】
0005546679.tif 000022
或いは
【数２２】
0005546679.tif 000023
、ＨｋＤＬ（ｆｉ）を、第ｋ本送信アンテナの第ｉ個周波数上からＵＥアンテナまでにおける下りリンク等価ベースバンドチャネルとし、ρ’ｋを獲得後、ρ’ｋをρｋとする。
当然、実施形態において最後にフィードバックされるのはρｋのみである。
【００４０】
具体的に、ＵＥが振幅応答を計算する場合、一定の周波数範囲内では基地局のアンテナ送信回路の振幅応答はほぼ同じであるため、以下の通りとなる。
【数２３】
0005546679.tif 000024
よって以下の通りρｋを計算できる。
【数２４】
0005546679.tif 000025
もし第一本アンテナを参照アンテナとすれば、第ｋ本アンテナが第１本アンテナに相当する振幅値の数２４を獲得でき、ここで、以下の通りρｋをさらに計算できる：
【数２５】
0005546679.tif 000026
。
【００４１】
実施形態におけるステップ１０３の実行において、ＵＥは基地局へρｋおよびΔｋ−Δｌ報告する。
この時、ＵＥは計算したΔｋとρｋを基地局へフィードバックできる。
ここで、ΔｋはΔｋ−Δｌにより代替でき、ρｋはρ’ｋにより代替できる。
【００４２】
基地局のＭ本アンテナは、同じ地理位置にあるアンテナでもよいし、分離している地理位置にあるアンテナでもよいし、さらにそれぞれ複数の基地局が制御するアンテナでもよい。
【００４３】
図２は、アンテナ補正因子の確認方法の実行フロー図である。
図２が示すように、確認過程においてステップ２０１、２０２、２０３、２０４と、２０５を含むことができる。
ステップ２０１において、基地局は、ＵＥが基地局の指定する時間周波数リソースにおいて送信する上りリンク信号を受信する。
ステップ２０２において、基地局は、上りリンク信号に基づき、ＵＥアンテナから基地局の受信アンテナまでの等価上りリンクベースバンドチャネルを推測する。
ステップ２０３において、基地局は、等価上りリンクベースバンドチャネルに基づき、振幅応答λｋおよび時間遅延値Πｋを確認する。
ステップ２０４において、基地局は、ＵＥが報告するρｋおよびΔｋを受信する。
ステップ２０５において、基地局は、λｋおよびΠｋ、ρｋおよびΔｋに基づき、アンテナ補正因子を計算する。
【００４４】
実施形態におけるステップ２０４にて受信するρｋおよびΔｋについては、前記の実施方式を参照できる。
同時に、ステップ２０４とステップ２０１、２０２、２０３は順序が変更できないわけではなく、ステップ２０５の実行にて、λｋおよびΠｋ、ρｋおよびΔｋを獲得できればよい。
具体的な実施形態において、必要に応じてステップ２０４の実行時間を確保できる。
【００４５】
実施形態におけるステップ２０１の実行において、ＵＥは、基地局が指定する時間周波数リソースにおいて、上りリンク探測基準信号、或いは他のパイロット信号のような上りリンク信号を送信する。
【００４６】
実施する際、基地局は、ＵＥが基地局の指定する時間周波数リソースにおいて送信する上りリンク信号を受信する前に、
基地局が、チャネル品質がよく（例えば、信号品質は信号閾値より高い）及び／或いは移動速度が低い（例えば、移動速度は移動閾値より低い）ＵＥに、基地局が指定する時間周波数リソースにおいて上りリンク信号を送信することを通知する、ことをさらに含むことができる。
【００４７】
ステップ２０２の実行において、基地局は上りリンク信号に基づき、ＵＥアンテナから基地局の受信アンテナまでの等価上りリンクベースバンドチャネルを推測することは、
基地局が、ＵＥが送信する上りリンク信号および受信する信号に基づき、ＵＥアンテナから基地局の受信アンテナまでのＵＥの送信回路応答、空間伝送チャネルおよび基地局受信回路応答を含む等価上りリンクベースバンドチャネルを推測することを含むことができ、
【数２６】
0005546679.tif 000027
を確認し、ここで、ＨｋＵＬ（ｆｉ）を、ＵＥから基地局までの第ｋ本受信アンテナの第ｉ個周波数上における上りリンク等価ベースバンドチャネルとし、Ｈｋ（ｆｉ）は、ＵＥアンテナの送信回路応答と空間伝送チャネルの合成チャネルを備え、βｋ（ｆｉ）は基地局受信アンテナの受信回路の振幅応答、ｅ-ｊ２πΠｋｆｉは基地局受信アンテナの受信回路の位相応答である。
具体的な実施形態において、ここでの、Ｈｋ（ｆｉ）とステップ１０２におけるＨｋ（ｆｉ）は異なる可能性がある。
【００４８】
ステップ２０３の実行において、基地局が等価上りリンクベースバンドチャネルに基づき、Πｋを確認する場合、
基地局は、ＨｋＵＬ（ｆｉ）に基づき、以下の通りΠｋを計算することを含むことができる。
Ｎ個の周波数のＨｋＵＬ（ｆｉ）の位相に線形フィットを行い、フィッティングした直線のスロープをΠｋを推測値
【数２７】
0005546679.tif 000028
，ｉ＝１，２，…Ｎとし、
ここで、φｈ，ｋ（ｆｉ）はＨｋ（ｆｉ）の位相、Θｋ（ｆｉ）はＨｋＵＬ（ｆｉ）の位相であり、ＨｋＵＬ（ｆｉ）を、ＵＥから基地局までの第ｋ本受信アンテナの第ｉ個周波数上における上りリンク等価ベースバンドチャネルとし、Ｈｋ（ｆｉ）は、ＵＥアンテナの送信回路応答と空間伝送チャネルの合成チャネルを備える。
或いは、第一本アンテナを基準点とし、Ｎ個の周波数のＨｋＵＬ（ｆｉ）／ＨｌＵＬ（ｆｉ）の位相に線形フィットを行い、フィッティングした直線のスロープ／２πをΔｋ−Δｌした後、Πｋ−ΠｌをΠｋとする：
【数２８】
0005546679.tif 000029
，ｉ＝１，２，…Ｎ、
ここで、φｈ，ｋ（ｆｉ）はＨｋ（ｆｉ）の位相、Θｋ（ｆｉ）はＨｋＵＬ（ｆｉ）の位相であり、ＨｋＵＬ（ｆｉ）を、ＵＥから基地局までの第ｋ本受信アンテナの第ｉ個周波数における上りリンク等価ベースバンドチャネルとし、Ｈｋ（ｆｉ）は、ＵＥアンテナの送信回路応答と空間伝送チャネルの合成チャネルを備える。
【００４９】
ステップ２０３の実行において、基地局が、等価ベースバンドチャネル基づき、振幅応答λｋを確認する場合、基地局が、ＨｋＵＬ（ｆｉ）に基づき、以下の通りλｋを計算することを含むことができる：
【数２９】
0005546679.tif 000030
ここで、ＨｋＵＬ（ｆｉ）を、ＵＥのアンテナから基地局までの第ｋ本受信アンテナの第ｉ個周波数上における上りリンク等価ベースバンドチャネルとする。
或いは、
【数３０】
0005546679.tif 000031
ここで、ＨｋＵＬ（ｆｉ）を、ＵＥのアンテナから基地局までの第ｋ本受信アンテナの第ｉ個周波数上における上りリンク等価ベースバンドチャネルとする。
或いは、第一本アンテナを参照アンテナとし、以下の通り第ｋ本アンテナが第１本アンテナに相当する振幅値
【数３１】
0005546679.tif 000032
を計算し、
ここで、以下の通りλｋを計算：
【数３２】
0005546679.tif 000033
或いは
【数３３】
0005546679.tif 000034
ここで、ＨｋＵＬ（ｆｉ）を、ＵＥのアンテナから基地局までの第ｋ本受信アンテナの第ｉ個周波数上における上りリンク等価ベースバンドチャネルとし、さらにλ’ｋを獲得後、λ’ｋをλｋとする。
【００５０】
具体的に、ＨｋＵＬ（ｆｉ）に基づき、λｋを計算する場合、
【数３４】
0005546679.tif 000035
ここで、βｋ（ｆＮ）を基地局のアンテナ受信回路の振幅応答とする。
或いは、第一本アンテナを参照アンテナとし、以下の通り第ｋ本アンテナが第１本アンテナに相当する振幅値
【数３５】
0005546679.tif 000036
を計算し、ここで、λｋを以下の通り計算：
【数３６】
0005546679.tif 000037
ここで、βｋ（ｆＮ）を基地局のアンテナ受信回路の振幅応答とする。
【００５１】
基地局が、Πｋ或いはΠｋ−Πｌ、λｋ或いは
【数３７】
0005546679.tif 000038
を計算する場合、ＵＥが計算するρｋおよびΔｋ−Δｌの実施方式を参照してもよく、基地局とＵＥのλｋおよびΠｋ−Πｌ、ρｋおよびΔｋ−Δｌの計算方法は同じでよい。
【００５２】
実施形態におけるステップ２０５の実行において、基地局が、λｋおよびΠｋ−Πｌ、ρｋおよびΔｋ−Δｌに基づき、アンテナ補正因子を計算する場合、
ｅ-ｊ２πΠｋｆｉが基地局受信アンテナの受信回路の位相応答である場合、基地局は以下の通り補正因子を計算するのを含むことができる。
１）、
【数３８】
0005546679.tif 000039
；
或いは、２）、
【数３９】
0005546679.tif 000040
；
或いは、３）、
【数４０】
0005546679.tif 000041
；
或いは、４）、
【数４１】
0005546679.tif 000042
；
或いは、５）、
【数４２】
0005546679.tif 000043
；
或いは、６）、
【数４３】
0005546679.tif 000044
；
或いは、７）、
【数４４】
0005546679.tif 000045
；
或いは、８）、
【数４５】
0005546679.tif 000046
；
或いは、９）、
【数４６】
0005546679.tif 000047
；
或いは、１０）、
【数４７】
0005546679.tif 000048
；
或いは、１１）、
【数４８】
0005546679.tif 000049
；
或いは、１２）、
【数４９】
0005546679.tif 000050
；
或いは、１３）、
【数５０】
0005546679.tif 000051
；
或いは、１４）、
【数５１】
0005546679.tif 000052
；
或いは、１５）、
【数５２】
0005546679.tif 000053
；
或いは、１６）、
【数５３】
0005546679.tif 000054
；
或いは、１７）、
【数５４】
0005546679.tif 000055
；
或いは、１８）、
【数５５】
0005546679.tif 000056
；
或いは、１９）、
【数５６】
0005546679.tif 000057
；
或いは、２０）、
【数５７】
0005546679.tif 000058
；
或いは、２１）、
【数５８】
0005546679.tif 000059
；
或いは、２２）、
【数５９】
0005546679.tif 000060
；
或いは、２３）、
【数６０】
0005546679.tif 000061
；
或いは、２４）、
【数６１】
0005546679.tif 000062
。
【００５３】
具体的に、基地局が補正因子を計算する場合、全てのアンテナの補正因子に同時にスカラを乗じる。
獲得した新しい補正因子は性能には影響しない。
【００５４】
実施形態におけるステップ２０５の実行後、基地局が、以下の式に基づき、補正因子により上りリンクパイロット信号に基づき推測したチャネルを補正後、下りリンクチャネルの推測値：
【数６２】
0005546679.tif 000063
，ｉ＝１，２，…Ｎ
を獲得するステップと、及び／或いは、下りリンク送信待機信号の予処理：
【数６３】
0005546679.tif 000064
を行うステップとを含む。
ここで、Ｙｋ（ｆｉ）は、基地局の第ｋ本アンテナ上での送信待機データ信号及び／或いはパイロット信号であり、
0005546679.tif 000065
は予処理後の信号である。
【００５５】
ここで、補正因子の異なる計算方法に基づき、もしくはこの２種類の方法を結合して、チャネルは、第１７）から第２４）までの公式を用いて補正因子を調整し、送信待機信号は第９）から第１６）までの公式を用いて補正因子を調整する。
【００５６】
具体的に、基地局は計算した補正因子を保存でき、その後の処理過程において保存した補正因子を用いて、上りリンクパイロット信号に基づき推測したチャネルを補正して、下りリンクチャネルを獲得する。
【００５７】
前記の実施過程において、１つのＵＥのアンテナ１本が補正過程ににかかわると仮定すると、補正因子を１組獲得できる。
実際には、複数のＵＥの複数アンテナも補正にかかわることができ、アンテナ毎本とも補正因子を獲得できる。
これらの補正因子をさらに処理すれば、線形平均を出すというような総合的な補正因子を獲得できる。
注意すべき点は、線形平均のような操作の前には、補正因子各組の正規化の処理：
【数６４】
0005546679.tif 000066
を行うことである。
【００５８】
同時に、前記の実施過程において、補正待機アンテナは同一セル内のアンテナでもよいし、異なるセルのアンテナでもよい。
【００５９】
基地局のＭ本アンテナは同じ地理位置にあるアンテナでもよいし、分離している地理位置にあるアンテナでもよいし、さらにそれぞれ複数の基地局が制御するアンテナでもよい。
【００６０】
同様の発明の思考に基づき、本発明に係る実施形態はさらに基地局、ユーザー設備を提供することにより、アンテナ補正情報の報告方法、アンテナ補正因子の確認方法と似ていると方法で問題を解決する。
よってこれら設備の実施形態は前記方法の実施形態を参照できるため、ここでは説明を繰り返さない。
【００６１】
図３はユーザー設備の構造を示す図である。
図３で示すように、ＵＥにおいて、
基地局の複数アンテナからＵＥまでの下りリンク等価ベースバンドチャネルを推測する、推測モジュール３０１と、
下りリンク等価ベースバンドチャネルに基づき、報告すべき振幅応答ρｋを確認する、振幅応答モジュール３０２と、
等価ベースバンドチャネルに基づき、報告すべき時間遅延値Δｋを確認する、時間遅延モジュール３０３と、
基地局へρｋおよびΔｋを報告する、報告モジュール３０４と
を備えることができる。
【００６２】
実施の際、推測モジュール３０１において、
基地局が指定する帯域内のＮ個の周波数ｆ上における送信アンテナからＵＥまでの送信回路応答、空間伝送チャネルおよび受信回路応答を備える等価ベースバンドチャネルを測定する、測定ユニットと、
【数６５】
0005546679.tif 000067
を確認する、確認ユニットと、を備えることができ、
ここで、ＨｋＤＬ（ｆｉ）を、第ｋ本送信アンテナの第ｉ個周波数上からＵＥまでにおける等価下りリンクベースバンドチャネルとし、Ｈｋ（ｆｉ）は、ＵＥアンテナの受信回路応答と空間伝送チャネルの合成チャネルを備え、αｋ（ｆｉ）は、基地局の送信回路の振幅応答、ｅ-ｊ２πΔｋｆｉは基地局の送信回路の位相応答である。
【００６３】
実施の際、測定ユニットは、さらにＬＴＥシステムに用いられ、基地局により指定された帯域が連続の若干個ＰＲＢであることを確認する。
ここで、周波数ｆはこの内の副搬送波である。
【００６４】
実施形態において、時間遅延モジュール３０３は、第一確認ユニット及び／或いは第二確認ユニットを備えることができ、ここで、
第一確認ユニットは、ＵＥが、基地局の指定する帯域内のＮ個の周波数ｆ上における送信アンテナからＵＥアンテナまでの下りリンク等価ベースバンドチャネルを測定し、ＨｋＤＬ（ｆｉ）に基づき、以下の通りΔｋを計算する。
Ｎ個の周波数のＨｋＤＬ（ｆｉ）の位相に線形フィットを行い、フィッティングした直線のスロープ／２πをΔｋの推測値：
【数６６】
0005546679.tif 000068
，ｉ＝１，２，…Ｎとし、
ここで、φｈ，ｋ（ｆｉ）はＨｋ（ｆｉ）の位相、Θｋ（ｆｉ）はＨｋＤＬ（ｆｉ）の位相であり、ＨｋＤＬ（ｆｉ）を、第ｋ本受信アンテナの第ｉ個周波数上でのＵＥまでにおける等価下りリンクベースバンドチャネルとし、Ｈｋ（ｆｉ）は、ＵＥアンテナの受信回路応答と空間伝送チャネルの合成チャネルを備える。
第二確認ユニットは、ＵＥが、基地局が指定する帯域内のＮ個の周波数ｆ上における送信アンテナからＵＥアンテナまでの下りリンク等価ベースバンドチャネルを測定する場合、第一本アンテナを基準点とし、Ｎ個の周波数のＨｋＤＬ（ｆｉ）／ＨｌＤＬ（ｆｉ）の位相に線形フィットを行い、フィッティングした直線のスロープ／２πをΔｋ−Δｌとした後、Δｋ−ΔｌをΔｋとする：
【数６７】
0005546679.tif 000069
ｉ＝１，２，…Ｎ、
ここで、φｈ，ｋ（ｆｉ）はＨｋ（ｆｉ）の位相、Θｋ（ｆｉ）はＨｋＤＬ（ｆｉ）の位相であり、ＨｋＤＬ（ｆｉ）を、第ｋ本受信アンテナの第ｉ個周波数上でのＵＥまでにおける等価下りリンクベースバンドチャネルとし、Ｈｋ（ｆｉ）は、ＵＥアンテナの受信回路応答と空間伝送チャネルの合成チャネルを備える。
【００６５】
実施の際、振幅応答モジュール３０２は、第三確認ユニット及び／或いは第四確認ユニットを備えることができる。
ここで、第三確認ユニットは、ＵＥが、基地局が指定する帯域内のＮ個の周波数ｆ上における送信アンテナからＵＥアンテナまでの下りリンク等価ベースバンドチャネルを測定し、ＨｋＤＬ（ｆｉ）に基づき、以下の通りρｋを計算する。
【数６８】
0005546679.tif 000070
或いは、
【数６９】
0005546679.tif 000071
ここで、ＨｋＤＬ（ｆｉ）を、第ｋ本受信アンテナの第ｉ個周波数上でのＵＥまでにおける等価ベースバンドチャネルとする。
第四確認ユニットは、ＵＥが、基地局が指定する帯域内のＮ個の周波数ｆ上における送信アンテナからＵＥアンテナまでの下りリンク等価ベースバンドチャネルを測定する場合に、第一本アンテナを参照アンテナとし、以下の通り第ｋ本アンテナが第１本アンテナに相当する振幅値
【数７０】
0005546679.tif 000072
を計算し、
ここで、
【数７１】
0005546679.tif 000073
或いは
【数７２】
0005546679.tif 000074
ＨｋＤＬ（ｆｉ）を、第ｋ本受信アンテナの第ｉ個周波数上でのＵＥまでにおける等価ベースバンドチャネルとし、さらにρ’ｋを獲得後、ρ’ｋをρｋとする。
【００６６】
また、実施の際、推測モジュール３０１は、基地局の通知を獲得後、基地局の複数アンテナからＵＥアンテナまでの下りリンク等価ベースバンドチャネルを推測できる。
【００６７】
基地局のＭ本アンテナは同じ位置にあるアンテナでもよいし、離れている位置にあるアンテナでもよいし、さらにそれぞれ複数の基地局が制御するアンテナでもよい。
【００６８】
図４は基地局構造を示す図である。
図４に示すように、基地局は、ＵＥが、基地局が指定する時間周波数リソースにおいて送信する上りリンク信号を受信する、上りリンク信号受信モジュール４０１と、上りリンク信号に基づき、ＵＥアンテナから基地局の受信アンテナまでの等価上りリンクベースバンドチャネルを推測する、等価上りリンクベースバンドチャネルモジュール４０２と、等価上りリンクベースバンドチャネルに基づき、振幅応答λｋを確認する、振幅応答モジュール４０３と、等価上りリンクベースバンドチャネルに基づき、時間遅延値Πｋを確認する、時間遅延モジュール４０４と、ＵＥが報告するρｋおよびΔｋを受信する、受信モジュール４０５と、を備える。
実施際、ρｋおよびΔｋの受信は、上述の実施方式を参照できる。
【００６９】
補正因子モジュール４０６は、λｋおよびΠｋ、ρｋおよびΔｋに基づき、アンテナ補正因子を計算する。
【００７０】
実施の際、等価上りリンクベースバンドチャネルモジュール４０２は、ＵＥが送信する上りリンク信号および受信する信号に基づき、ＵＥアンテナから基地局の受信アンテナまでの、ＵＥの送信回路応答、空間伝送チャネルおよび基地局受信回路応答を含む等価上りリンクベースバンドチャネルを推測する、推測ユニットと、
【数７３】
0005546679.tif 000075
を確認する、確認ユニットと、を備えることができ、
ここで、ＨｋＵＬ（ｆｉ）を、ＵＥから基地局までの第ｋ本受信アンテナの第ｉ個周波数上における上りリンク等価ベースバンドチャネルとし、Ｈｋ（ｆｉ）は、ＵＥアンテナの送信回路応答と空間伝送チャネルの合成チャネルを備え、βｋ（ｆｉ）は基地局が送信回路を受信する振幅応答であり、ｅ-ｊ２πΠｋｆｉは基地局受信回路の位相応答である。
【００７１】
実施の際、時間遅延モジュール４０４は、第一確認ユニット及び／或いは第二確認ユニットを備えることができ、ここで、第一確認ユニットは、ＨｋＵＬ（ｆｉ）に基づき、以下の通りΠｋを計算する。
Ｎ個の周波数のＨｋＵＬ（ｆｉ）の位相に線形フィットを行い、フィッティングした直線のスロープをΠｋの推測値：
【数７４】
0005546679.tif 000076
，ｉ＝１，２，…Ｎとし、
ここで、φｈ，ｋ（ｆｉ）はＨｋ（ｆｉ）の位相、Θｋ（ｆｉ）はＨｋＵＬ（ｆｉ）の位相であり、ＨｋＵＬ（ｆｉ）を、ＵＥから基地局までの第ｋ本受信アンテナの第ｉ個周波数上における上りリンク等価ベースバンドチャネルとし、Ｈｋ（ｆｉ）は、ＵＥアンテナの送信回路応答と空間伝送チャネルの合成チャネルを備える。
第二確認ユニットは、第一本アンテナを基準点とし、Ｎ個の周波数のＨｋＵＬ（ｆｉ）／ＨｌＵＬ（ｆｉ）の位相に線形フィットを行い、フィッティングした直線のスロープ／２πをΠｋ−Πｌとした後、Πｋ−ΠｌをΠｋとする。
【数７５】
0005546679.tif 000077
，ｉ＝１，２，…Ｎ、
ここで、φｈ，ｋ（ｆｉ）はＨｋ（ｆｉ）の位相、Θｋ（ｆｉ）はＨｋＵＬ（ｆｉ）の位相であり、ＨｋＵＬ（ｆｉ）を、ＵＥから基地局までの第ｋ本受信アンテナの第ｉ個周波数における上りリンク等価ベースバンドチャネルとし、Ｈｋ（ｆｉ）は、ＵＥアンテナの送信回路応答と空間伝送チャネルの合成チャネルを備える。
【００７２】
実施形態において、振幅応答モジュール４０３は、第三確認ユニット及び／或いは第四確認ユニットを備えることができ、ここで、第三確認ユニットは、ＨｋＵＬ（ｆｉ）に基づき、以下の通りλｋを計算する。
【数７６】
0005546679.tif 000078
或いは、
【数７７】
0005546679.tif 000079
ここで、ＨｋＵＬ（ｆｉ）を、ＵＥから基地局までの第ｋ本受信アンテナの第ｉ個周波数における等価ベースバンドチャネルとする。
第四確認ユニットは、第一本アンテナを参照アンテナとし、以下の通り第ｋ本アンテナが第１本アンテナに相当する振幅値
【数７８】
0005546679.tif 000080
を計算し、
ここで、以下の通りλｋを計算する。
【数７９】
0005546679.tif 000081
或いは
【数８０】
0005546679.tif 000082
ここで、ＨｋＵＬ（ｆｉ）を、ＵＥから基地局までの第ｋ本受信アンテナの第ｉ個周波数における等価ベースバンドチャネルとし、さらにλ’ｋを獲得後、λ’ｋをλｋとする。
【００７３】
実施形態における、基地局においてさらに、
チャネル品質がよい、及び／或いは移動速度が低いＵＥが、基地局が指定する時間周波数リソース上にて上りリンク信号を送信するのを通知する、通知モジュール４０７を備えることができる。
【００７４】
実施形態において、補正因子モジュール４０６はさらに、λｋおよびΠｋ、ρｋおよびΔｋに基づき、アンテナ補正因子の計算において、ｅ-ｊ２πΠｋｆｉは基地局受信回路の位相応答である場合、以下の通り補正因子を計算できる：
【数８１】
0005546679.tif 000083
；
或いは、
【数８２】
0005546679.tif 000084
；
或いは、
【数８３】
0005546679.tif 000085
；
或いは、
【数８４】
0005546679.tif 000086
；
或いは、
【数８５】
0005546679.tif 000087
；
或いは、
【数８６】
0005546679.tif 000088
；
或いは、
【数８７】
0005546679.tif 000089
；
或いは、
【数８８】
0005546679.tif 000090
；
或いは、
【数８９】
0005546679.tif 000091
。
【００７５】
また、実施の際、基地局は、以下の式に従って補正因子を用い、上りリンクパイロット信号は推測したチャネルを補正した後、下りリンクチャネルの推測値を獲得する、補正モジュール４０８をさらに備えることができる：
【数９０】
0005546679.tif 000092
；
及び／或いは、下りリンク送信待機信号を
【数９１】
0005546679.tif 000093
予処理し、ここで、Ｙｋ（ｆｉ）は、基地局の第ｋ本アンテナにおける送信待機データ信号及び／或いはパイロット信号であり、
0005546679.tif 000094
は、予処理後の信号である。
【００７６】
説明の便宜上、前記の装置の各部分の機能をモジュール或いはユニットと、に分けてそれぞれ説明する。
当然、本発明の実施において各モジュール或いはユニットの機能を同一の或いは複数のソフトウェア或いはハードウェアにおいて実現できる。
【００７７】
前記実施方式から、本発明が提供する技術方案において、ＵＥが推測した下りリンクチャネル情報から振幅情報と位相情報（時間遅延）を分離し、さらにフィードバックして、基地局は再びこれらの情報を利用しアンテナ補正することは明らかである。
【００７８】
具体的に、アンテナ補正過程において、ＵＥが、基地局の複数アンテナからＵＥアンテナまでの下りリンク等価ベースバンドチャネルを推測するステップと、等価ベースバンドチャネルによりρｋおよび時間遅延値Δｋ−Δｌを計算するステップと、ＵＥは、量子化後のρｋおよびΔｋ−Δｌをフィードバックするステップと、ＵＥは、上りリンクＳＲＳ信号を送信し、基地局はこれに基づき、λｋおよびΠｋ−Πｌを推測するステップと、基地局は補正因子を計算するステップとを備える。
【００７９】
基地局のＭ本アンテナは、同じ地理位置にあるアンテナでもよいし、離れている地理位置にあるアンテナでもよいし、さらにそれぞれ複数の基地局が制御するアンテナでもよい。
【００８０】
本発明が提供する技術方案において、チャネル情報から振幅情報と位相情報を分離し、さらにそれぞれフィードバックして、基地局はこれらの情報を利用しアンテナ補正する。同時に振幅と位相の補正を実現できる。
ＵＥの予処理過程を増やしたため、本発明が提供する技術方案はチャネル推測の誤差およびチャネルドップラースプレッドの感度を低下させる。
【００８１】
当業者であれば、本発明の実施形態により方法、システム、或いはコンピュータプログラム製品を提供できることは明らかである。
よって、本発明は完全ハードウェア実施形態、完全ソフトウェア実施形態、或いは結合ソフトウェアおよびハードウェア方面の実施形態の形を採用できる。
さらには、本発明はコンピュータ使用可能プログラムコードのコンピュータ使用可能ストレージメディア（ディスクストレージ機器、ＣＤ−ＲＯＭ、光学ストレージ機器等を含むがこれに限定しない）上において実施するコンピュータプログラム製品の形を一つ或いは複数採用できる。
【００８２】
本発明は、本発明に係る実施形態の方法に基づく、設備（システム）、とコンピュータプログラム製品のフロー図及び／或いはボックス図を参照し説明する。
コンピュータプログラム指令によりフロー図及び／或いはボックス図における各フロー及び／或いはボックス、そしてフロー図及び／或いはボックス図におけるフロー及び／或いはボックスの結合を実現できることは明らかである。
これらのコンピュータプログラム指令から汎用コンピュータ、専用コンピュータ、埋め込み式処理機、或いは他のデータプログラミング可能な処理設備の処理器までを提供することにより機器を製作し、コンピュータ或いは他のデータプログラミング可能な処理設備の処理器が実行する指令によって、フロー図の一つのフロー或いは複数のフロー及び／或いはボックス図の一つのボックス或いは複数のボックスにおいて指定する機能を実現する装置を製作できる。
【００８３】
これらのコンピュータプログラム指令は、コンピュータ或いは他のデータプログラミング可能処理設備を特定の方式で作業するよう導くことのできるコンピュータ可読ストレージ機器にもストレージでき、当該コンピュータ可読ストレージ機器にストレージする指令に、指令装置を含む製品を製作できる。
当該指令装置は、フロー図の一つのフロー或いは複数のフロー及び／或いはボックス図の一つのボックス或いは複数のボックスにおいて指定する機能を実現する。
【００８４】
これらのコンピュータプログラム指令は、コンピュータ或いは他のデータプログラミング可能処理設備上にもロードでき、コンピュータ或いは他のプログラミング可能設備上において、一連の操作ステップの実行によりコンピュータが実現する処理を生じさせる。
よって、コンピュータ或いは他のプログラミング可能設備上において実行する指令は、フロー図の一つのフロー或いは複数のフロー及び／或いはボックス図の一つのボックス或いは複数のボックスにおいて指定する機能を実現するステップを提供する。
【００８５】
本発明の好ましい実施形態について記述したが、当業者は、本発明の基本的なを創造性把握した上で、他の変更と変形を行える。
そのような総ての変形と変更は本発明に記述された好ましい実施形態と共に、付加する請求の範囲の範囲内にあると解釈されるべきである。
【００８６】
当然、当業者であれば本発明に対し種種の変更・改変を行うことができる。
そのような変更・改変は、本発明の請求の範囲及びその均等の範囲に属するので、つまり、本発明は、そのような変更・改変も意図しているということは明らかである。
【図１】
0005546679.tif 000139
【図２】
0005546679.tif 000140
【図３】
0005546679.tif 000141
【図４】
0005546679.tif 000142